(57)【要約】      （修正有）【課題】離れた場所にいる対象者に対して実際に対面することなく、装着物の寸法やフィット感（装着感）を判断するための有益な情報を与えることが可能となる体型情報解析システムを提供する。【解決手段】対象者の身体の少なくとも一部である対象部分の外観を撮影してなる体型画像のデータを取得し、対象者の身体の対象部分の実寸法を判断するために使用可能な基準寸法の情報が含まれた数値又は文字又は画像のデータを取得し、体型画像に表された対象部分の各部をパラメータとして設定し、当該設定したパラメータそれぞれの体型画像上の表示寸法を計測し、取得した基準寸法のデータを用いて、計測した体型画像上の表示寸法から、体型画像に表された対象者の身体の対象部分の各部の実寸法を算出する。【選択図】図３
2018163031.tif 000002
【特許請求の範囲】
【請求項１】
対象者の身体の少なくとも一部である対象部分の体型を撮影してなる体型画像のデータを取得する体型画像データ取得部と、
前記対象部分の実寸法を判断するために使用可能な基準寸法の情報が含まれた数値又は文字又は画像のデータを取得する基準寸法データ取得部と、
前記体型画像データ取得部が取得した体型画像に表された対象部分の各部をパラメータとして設定し、当該設定したパラメータそれぞれの前記体型画像上の表示寸法を計測する表示寸法計測部と、
前記基準寸法データ取得部で取得した基準寸法のデータを用いて、前記表示寸法計測部で計測した前記体型画像上の表示寸法から、前記体型画像に表された前記対象部分の各部の実寸法を算出する実寸法算出部と、
を備えることを特徴とする体型情報解析システム。
【請求項２】
前記体型画像データ取得部が取得する体型画像のデータは、対象部分の外観を複数の方向から撮影した複数の画像のデータであり、
前記実寸法算出手段が算出する前記対象部分の各部の実寸法は、当該対象部分の三次元形状の実寸法である
ことを特徴とする請求項１に記載の体型情報解析システム。
【請求項３】
前記基準寸法データ取得部が取得する基準寸法の情報が含まれたデータは、前記身体の対象部分の外観と共に前記体型画像内に含まれておりその実寸法が判明している物体の画像のデータである
ことを特徴とする請求項１又は２に記載の体型情報解析システム。
【請求項４】
前記対象者の身体の前記対象部分に装着する装着物の実寸法のデータを取得する装着物寸法取得部と、
前記装着物寸法取得部が取得した前記装着物の実寸法のデータと、前記実寸法算出部が算出した前記対象者の身体の対象部分の実寸法のデータとを比較する寸法比較部と、
前記寸法比較部で比較した結果に基づいて、前記装着物を前記対象部分に装着した際のフィット感の程度を判定するフィット感判定部と、を備え、
前記フィット感判定部は、予め集めた複数人の身体の前記対象部分の実寸法のデータが含まれた実寸法データベースに基づいて、前記対象者の身体の前記対象部分に対する前記装着物のフィット感の程度を算出する
ことを特徴とする請求項１乃至３のいずれか１項に記載の体型情報解析システム。
【請求項５】
前記実寸法算出部が算出した前記対象者の身体の前記対象部分の実寸法に基づいて、前記対象部分の三次元画像データを生成する三次元画像データ生成部を備える
ことを特徴とする請求項１乃至４のいずれか１項に記載の体型情報解析システム。
【請求項６】
前記対象者の身体の前記対象部分に装着する装着物の三次元画像を取得する装着物画像データ取得部と、
前記装着物画像データ取得部で取得した前記装着物の三次元画像と、前記三次元画像データ生成部で生成した前記対象者の身体の前記対象部分の三次元画像とをそれらの実寸法データに基づいて同一縮尺で合成することで、前記対象者が前記装着物を装着した状態の画像を作成する装着画像作成部と、を備える
ことを特徴とする請求項３乃至５のいずれか１項に記載の体型情報解析システム。
【請求項７】
前記身体画像データ取得部が取得する対象者の身体の少なくとも一部である対象部分の体型を撮影してなる体型画像の画像データは、通信ネットネットワークを介して他の端末装置から送信されたデータである
ことを特徴とする請求項１乃至６のいずれか１項に記載の体型情報解析システム。
【発明の詳細な説明】
【技術分野】
【０００１】
本発明は、対象者の身体の少なくとも一部である対象部分の寸法等の体型に関する情報を解析する体型情報解析システムに関する。
【０００２】
近年、インターネット等の通信ネットワークに接続されたサーバなどのシステム上で、商品の閲覧・購入・精算・発送の通知等の一連の作業を自動的に行う商品販売用のウェブページやアプリケーションを構築し、顧客（閲覧者）の求めに応じインターネットを介して商品を提供する通信販売（ネットショッピング）が広く行われるようになっている。
【０００３】
ネットショッピングでは、実店舗を構える必要がなく更には実店舗を運営する販売員等を雇用する必要がない。さらに、商品の注文受付・精算・発送手配等の一連の作業はアプリケーションによって自動的に行われる。従って、ネットショッピングは企業にとって設備費・人件費・運営費を削減することができるメリットを有している。また、顧客にとっては、昼夜を問わず商品を注文することができることに加え、店舗に足を運び商品を購入するための時間及び手間を節約することができるメリットを有している。
【０００４】
ところで、ネットショッピングでは、対象の商品が身につける衣服や履物や装飾品などの装着物である場合、商品の購入希望者が商品を実際に装着（試着）してみたうえで購入することができない、というデメリットを有している。すなわち、例えば商品が衣服の場合、ネットショッピングでは各商品について各方向から撮影された商品の写真に加えて、商品の主要部分の寸法や、参考として体格指標が明記されたスタッフによる試着例などが掲載されている。従って、顧客はこれらの掲載情報のみに基づいて商品を購入するか否かを判断することになる。このように、ネットショッピングでは顧客が商品の装着感を確認した上で商品を購入することがきる状況にはまだ至っていない。
【０００５】
しかしながら、商品の主要部分の寸法や外観写真のみによっては、商品を実際に装着したときの寸法の適合度や装着感（フィット感）を定量的に判断することは極めて難しい。従って、ネットショッピングで購入した商品については、実際に商品を装着したときのフィット感が想像していたフィット感とは異なっていたというケースは少なくない。同様に商品の寸法（サイズ）が顧客の体型に合わないというケースも少なくない。
【先行技術文献】
【特許文献】
【０００６】
【特許文献１】特開２０１３−５４５８２号公報
【発明の概要】
【発明が解決しようとする課題】
【０００７】
本発明は上述の点に鑑みてなされたものであり、その目的は、離れた場所にいる対象者に対して、インターネット等の通信ネットワークを介して当該対象者の身体の少なくとも一部である対象部分の寸法等の体型情報をより正確に判断することができ、かつ、当該対象者の身体の対象部分に対する装着物のフィット感の程度をより正確に算出することが可能となり、対象者に装着物の寸法やフィット感を判断するための有益な情報を与えることが可能となる体型情報解析システムを提供することにある。
【課題を解決するための手段】
【０００８】
上記課題を解決するため、本発明に係る体型情報解析システムは、対象者の身体の少なくとも一部である対象部分の体型を撮影してなる体型画像の画像データを取得する体型画像データ取得部と、対象者の身体の対象部分の実寸法を判断するために使用可能な基準寸法の情報が含まれた数値又は文字又は画像のデータを取得する基準寸法データ取得部と、体型画像データ取得部が取得した体型画像に表された対象部分の各部をパラメータとして設定し、当該設定したパラメータそれぞれの体型画像上の表示寸法を計測する表示寸法計測部と、基準寸法データ取得部で取得した基準寸法のデータを用いて、表示寸法計測部で計測した体型画像上の表示寸法から、体型画像に表された対象者の身体の対象部分の各部の実寸法を算出する実寸法算出部と、を備えることを特徴とする。
【０００９】
本発明にかかる体型情報解析システムによれば、対象者の身体の対象部分の体型を撮影してなる体型画像のデータに基づいて、体型画像に表された対象者の身体の対象部分の各部の実寸法を算出することが可能となる。したがって、対象者の身体の対象部分の実寸法に基づいて、適正な寸法（サイズ）の装着物を提示することができるようになる。これにより、本発明にかかる体型情報解析システムを例えばネットショッピング用のウェブサイトやアプリケーションソフトに適用することで、上記の算出した実寸法のデータに基づく解析内容を商品の購入希望者が商品を選択する際の判断に用いることができるようにすれば、商品の販売者がインターネット等の通信ネットワークによる通信のみを介して、購入希望者の身体の対象部分の体型寸法をより正確に把握することができるようになり、かつ、商品の購入希望者の身体の対象部分に対する装着物のフィット感（装着感）の程度をより正確に算出することが可能となる。
【００１０】
また、この体型情報解析システムでは、体型画像データ取得部が取得する体型画像のデータは、対象部分の体型を複数の方向から撮影した複数の画像のデータであり、実寸法算出手段が算出する対象部分の各部の実寸法は、当該対象部分の三次元形状の実寸法であってよい。
【００１１】
この構成によれば、対象者の身体の対象部分の各部の三次元形状の実寸法を算出することが可能となる。したがって、より適正な寸法（サイズ）の装着物を提示することができるようになる。これにより、上記のネットショッピング用のウェブサイトやアプリケーションソフトへの適用において、商品の購入希望者の身体の対象部分の三次元形状の体型寸法をより正確に把握することができ、かつ、商品の購入希望者の身体の対象部分に対する装着物のフィット感の程度を更に正確に算出することが可能となる。
【００１２】
また、この体型情報解析システムによれば、基準寸法データ取得部が取得する基準寸法の情報が含まれたデータは、身体の対象部分の外観と共に体型画像内に含まれておりその実寸法が判明している物体の画像のデータであってよい。
【００１３】
この構成によれば、身体の対象部分の外観と共に実寸法が判明している物体を撮影した画像の提供を受けるだけで、当該画像を用いて身体の対象部分の実寸法を把握することができるようになる。したがって、対象者の身体の対象部分の各部の実寸法の算出をより少ないデータに基づいて容易に行うことができるようになる。
【００１４】
また、この体型情報解析システムでは、対象者の身体の対象部分に装着する装着物の実寸法のデータを取得する装着物寸法取得部と、装着物寸法取得部が取得した装着物の実寸法のデータと、実寸法算出部が算出した対象者の身体の対象部分の実寸法のデータとを比較する寸法比較部と、寸法比較部で比較した結果に基づいて、装着物を対象者の身体の対象部分に装着した際のフィット感の程度を判定するフィット感判定部と、を備え、フィット感判定部は、予め集めた複数人の身体の対象部分の実寸法のデータが含まれた実寸法データベースに基づいて、対象者の身体の対象部分に対する装着物のフィット感の程度を算出するようにしてもよい。
【００１５】
この構成によれば、装着物を対象者の身体の対象部分に装着した際のフィット感の程度を判定することができるので、上記のネットショッピング用のウェブサイトやアプリケーションソフトへの適用において、商品の購入希望者の身体の対象部分に対する装着物のフィット感の程度を更に正確に算出することが可能となる。したがって、商品の購入希望者に装着物のフィット感を判断するための有益な情報を与えることが可能となる。また、予め集めた複数人の身体の対象部分の実寸法のデータが含まれた実寸法データベースに基づいて、対象者の身体の対象部分に対する装着物のフィット感の程度を算出することで、当該フィット感の程度をより的確に（より実際のフィット感に即したデータとして）算出することができるようになる。
【００１６】
また、この体型情報解析システムでは、実寸法算出部が算出した対象者の身体の対象部分の実寸法に基づいて、対象部分の三次元画像データを生成する三次元画像データ生成部を備えてもよい。
【００１７】
この構成によれば、対象者の身体の対象部分の三次元画像データを生成することができるので、当該三次元画像データに基づいて、身体の対象部分の実寸法をより正確に把握できるようになる。
【００１８】
また、この体型情報解析システムでは、対象者の身体の対象部分に装着する装着物の三次元画像を取得する装着物画像データ取得部と、装着物画像データ取得部で取得した装着物の三次元画像と、三次元画像データ生成部で生成した対象者の身体の対象部分の三次元画像とをそれらの実寸法データに基づいて同一縮尺で合成することで、対象者が装着物を装着した状態の画像を作成する装着画像作成部と、を備えてもよい。
【００１９】
この構成によれば、上記のネットショッピング用のウェブサイトやアプリケーションソフトへの適用において、商品の購入希望者に対して、当該購入希望者が装着物を装着した状態の装着画像を提示できるようになるので、商品の購入希望者に装着物のフィット感に関する情報だけでなく、商品を装着したときの見え方など、商品を実際に装着した状態を判断するための有益な情報をさらに与えることが可能となる。
【００２０】
また、この体型情報解析システムでは、身体画像データ取得部が取得する対象者の身体の少なくとも一部である対象部分の体型を撮影してなる体型画像の画像データは、通信ネットネットワークを介して他の端末装置から送信されたデータであってもよい。
【００２１】
この構成によれば、体型画像の画像データは、インターネットなどの通信ネットネットワークを介して他の端末装置から送信されたデータであることで、上記のネットショッピング用のウェブサイトやアプリケーションソフトへの適用において、当該他の端末装置からアクセスした商品の購入希望者に対して、商品の購入希望者に装着物のフィット感を含む実際に装着した状態を判断するための有益な情報を与えることが可能となる。
【発明の効果】
【００２２】
本発明に係る体型情報解析システムによれば、インターネット等の通信ネットワークを介して離れた場所にいる対象者に対して、当該対象者と実際に対面することなく、当該対象者の身体の少なくとも一部である対象部分の体型寸法をより正確に判断することができ、かつ、当該対象者の身体の対象部分に対する装着物のフィット感の程度をより正確に算出することが可能となる。したがって、当該対象者に装着物の寸法やフィット感を判断するための有益な情報を与えることが可能となる。
【図面の簡単な説明】
【００２３】
【図１】本発明の一実施形態にかかるデータ処理システムの全体構成例を示す図である。
【図２】データ処理サーバの構成例を示すブロック図である。
【図３】実寸法算出処理及び３Ｄモデル作成処理の流れを説明するためのフロー図である。
【図４】閲覧者端末の表示画面に表示された閲覧者データの入力画面の一例を示す図である。
【図５】閲覧者の身体の全体（全身）の画像を撮像する手順を示す図である。
【図６】撮像した手の画像を示す図である。
【図７】手の各部の寸法計測の手順を説明するための図である。
【図８】（ａ）は、実寸法データベースのデータを示す図、（ｂ）は、手の３Ｄモデルの作成手順を説明するための図である。
【図９】装着画像作成処理及びフィット感判定処理の流れを説明するためのフロー図である。
【図１０】商品カテゴリーを選択するカテゴリー選択画面の表示を示す図である。
【図１１】商品選択欄と装着画像表示欄を示す図である。
【図１２】実寸法データベースに指輪の寸法の情報を付加したデータベースを示す図である。
【図１３】フィット感のデータ分布の一例を示すグラフである。
【図１４】閲覧者端末に表示するフィット感のグラフを示す図である。
【発明を実施するための形態】
【００２４】
以下、添付図面を参照して本発明の実施形態を詳細に説明する。図１は、本発明の一実施形態にかかる体型情報解析システム１の全体構成例を示す図である。図１に示す体型情報解析システム１は、インターネットなどの電気通信回線（以下「通信ネットワーク」という。）３０に接続された情報処理端末１０及び複数の閲覧者端末２０（２０−１，２０−２）と、情報処理端末１０との間でデータの授受が可能な情報データベース４０とを備えて構成されている。
【００２５】
図２は、図１の情報処理端末１０の構成例を示すブロック図である。同図に示す情報処理端末１０は、通信ネットワーク３０に接続されたコンピュータであり、制御部（制御手段）１１、記憶部（記憶手段）１２、ディスプレイなどの表示部（表示手段）１３、入力装置（入力手段）１４、データ送受信部１５を備えている。なお、情報処理端末１０としては、上記のうち制御部１１と記憶部１２とデータ送受信部１５を少なくとも備えていれば、その他の構成要素（表示部１３、入力装置１４）は必須ではなく、これらは必ずしも備えていなくてもよい。
【００２６】
制御部１１は、情報処理端末１０を動作させるための各種処理を実行するための部分であり、マイクロプロセッサ、各種周辺回路等によって構成される。一般的には、市販のＰＣ等の制御部に、ソフトウエアやアプリケーションプログラムをインストールしたものであり、記憶部１２等もこれらの機器に一体的に構成されている。
【００２７】
記憶部１２は、ハードディスク、フラッシュメモリ等の記憶媒体である。記憶部１２にはインターネット閲覧ソフト（ブラウザソフト）に適合する所定のファイル形式で作成されたウェブサイトのデータ１１２又はアプリケーションソフトウェア（商品販売アプリケーション）のデータ１１３が記憶されている。ウェブサイトのデータ１１２又はアプリケーションソフトウェアのデータ１１３は、閲覧者端末２０の求めに応じて制御部１１により記憶部１２から読み出され、制御部１１又は閲覧者端末２０によって実行され、その実行結果がブラウザソフトを介して閲覧者端末２０の表示画面に表示される。なお、ウェブサイトのデータ１１２又はアプリケーションソフトウェアのデータ１１３は、情報処理端末１０の記憶部１２に記憶（格納）する以外にも、通信ネットワーク３０上に配置した情報処理端末１０とは別のサーバ等に格納することも可能である。
【００２８】
また、上記のウェブサイトのデータ１１２やアプリケーションソフトウェアのデータ１１３は、それらウェブサイトが表示されたりアプリケーションが実行されることによる機能として、閲覧者端末２０から送信された商品装着部（被写体）を含む身体の少なくとも一部が撮像されたデジタル写真などの画像（二次元画像）を情報処理端末１０が受信する。そして、その画像に基づく解析を行うことで、閲覧者端末２０を閲覧している閲覧者（顧客）の身体の一部である商品装着部に装着される予定の商品（装着品）のフィット感（装着感）を判定し、その判定結果を通信ネットワーク３０を介して閲覧者端末２０に送信する。この詳細については後述する。
【００２９】
ディスプレイ（表示部）１３は、様々な画像や映像等を表示するための装置であり、液晶ディスプレイ等が用いられる。
【００３０】
入力装置１４は、情報処理端末１０を動作させるためにオペレーターから入力される各種操作を検出するための装置であり、各種の入力手段（タッチパネル、ＧＵＩ、キーボード、音声認識装置）を備えている。オペレーターは、入力装置１４を操作することにより、情報処理端末１０で行われる本発明の体型情報解析システムとしての各部の機能を奏するための制御に必要な各種の操作を行うことができる。
【００３１】
データ送受信部１５は、制御部１１や記憶部１２から入力した各種データを含むデータ信号等を通信ネットワーク３０を介して閲覧者端末２０などに対して送受信したり、無線や有線の近距離通信手段などを介して情報データベース４０との間でデータを送受信するものである。このデータ送受信部１５は、後述する閲覧者端末２０から送信された手の画像データなどを受信する機能を有する。また、データ送受信部１５は、後述する閲覧者端末２０にフィット感のデータなどを送信する機能を有する。
【００３２】
図１に戻り、閲覧者端末２０（２０−１，２０−２）は、通信ネットワーク３０を介して情報処理端末１０との間でデータ通信を行う機能を有する端末装置であり、例えば、スマートフォンやタブレットなどディスプレイ（表示画面）一体型の電子機器であってよい。なおここでは、閲覧者端末２０の例として、タブレット端末２０−１や携帯型コンピュータ（ＰＣ）端末２０−２を図示している。閲覧者端末２０は、通信ネットワークを介して受信したデータに関する情報をブラウザソフトやアプリケーションソフトを用いて表示させるための表示画面を有している。
【００３３】
情報データベース４０には、予め収集した複数（多数）人の身体の各部に関する寸法（実寸法）のデータが実寸法データベース４０ａとして格納されている。また、複数（多数）の人の身体の各部の３Ｄ（三次元）モデル（画像）のデータが３Ｄモデルデータベース４０ｂとして格納されている。さらに、ウェブサイト又はアプリケーションソフトウェアで販売する商品に関する寸法等の情報が商品寸法データベース４０ｃとして格納されており、当該商品の３Ｄ画像のデータが商品画像データベース４０ｄとして格納されている。
【００３４】
図３は、本実施形態の体型情報解析システム１が行う実寸法算出処理及び３Ｄモデル作成処理の流れを説明するためのフロー図である。同図のフローに示す処理では、後述するステップＳＴ１−１〜ステップＳＴ１−９が実寸法算出処理であり、ステップＳＴ１−１０〜ステップＳＴ１−１５が３Ｄモデル作成処理である。
【００３５】
実寸法算出処理では、まず、閲覧者端末２０を操作している閲覧者が自身に関するデータ（顧客データ）を入力する（ＳＴ１−１）。図４は、閲覧者端末２０の表示画面２１に表示された顧客データの入力画面２２の一例を示す図である。同図に示す入力画面２２は、例えば、情報処理端末１０から提供されたウェブサイト１１２を閲覧者端末２０で表示させるか、情報処理端末１０から提供されたアプリケーションソフトウェア１１３を閲覧者端末２０で実行することによって表示される。閲覧者は、当該入力画面２２から自身に関する情報（ここでは閲覧者の性別（Sex）、身長（Height）を閲覧者データとして入力する。その他にも図示は省略するが、年齢などの情報を入力する欄を設けてもよい。入力された閲覧者データは、情報処理端末１０に送信される（ＳＴ１−２）。
【００３６】
次に、閲覧者は、閲覧者端末２０に付帯している撮像機能（デジタルカメラ機能）を用いて自身の身体の特定部位の画像を撮像する（ＳＴ１−３）。このとき、必要に応じて当該特定部位を複数の方向から見た複数の画像を撮像する。なお、この画像は、閲覧者端末２０に付帯している撮像機能を用いて撮像する以外にも、他の装置（デジタルカメラなど）で撮像した画像を閲覧者端末２０に取り込むことで準備してもよい。
【００３７】
図５は、閲覧者の身体の全体（全身）の画像を撮像する手順を示す図である。同図に示すように、身体の全体（プライバシーの問題に対処するため、必要に応じて顔は除くようにしてもよい。）の画像を撮像する場合には、閲覧者端末２０を身体から離れた場所に置き、その状態でリモートコントロール機能を用いてシャッターを切ることで撮像する。また、この場合は、同図（ａ）に示すように身体を正面から撮像し、かつ同図（ｂ）に示すように身体を側面から撮像することで、身体を二面（二方向）から撮像する場合を示している。
【００３８】
これ以外にも、例えば身体の一部として手のみを撮像する場合には、一方の手に持った閲覧者端末２０の撮像機能で他方の手の画像を撮像する。このようにして撮像した手の画像の例を図６に示す。同図（ａ）に示す画像８０には、手９０の上に載せたコイン８１も一緒に写っている。このコイン８１は、予めその直径等の外形寸法（実寸法）が正確に分かっている物体である。したがって、このコイン８１が写っている画像のデータは、本発明の基準寸法の情報が含まれたデータに該当する。これ以外にも、同図（ｂ）に示すように、手９０の側部に定規の目盛８２を置いて該定規の目盛８２を一緒に写すこともできる。この定規の目盛８２も、予めその長さ寸法（実寸法）が正確に分かっている物体である。また、図示は省略するが、手を複数方向から撮像した複数の画像を含めるとよい。なお、以下の説明では、閲覧者の身体の一部である対象部分が手であり、当該対象部分に装着する装着物が指輪（アクセサリー）である場合について説明する。
【００３９】
上記のようにして撮像した画像（画像８０）が情報処理端末１０に送信される（ＳＴ１−４）。情報処理端末１０は当該画像データを受信する（ＳＴ１−５）。また、画像データに含まれる基準寸法データも情報処理端末１０に送信される（ＳＴ１−６）。情報処理端末１０は当該基準寸法データも受信する（ＳＴ１−７）。
【００４０】
次に、情報処理端末１０は、受信した画像上の手の各部の寸法を計測する（ＳＴ１−８）。図７は、この寸法計測の手順を説明するための図である。図７（ａ）は、画像上の手の縦方向寸法についての各寸法パラメータの一例を示し、図７（ｂ）は、横方向寸法についての各寸法パラメータの一例を示し、図７（ｃ）は、同厚さ方向寸法についての各寸法パラメータの一例を示している。
【００４１】
図７（ａ）に示されるように、各寸法パラメータの各計測点として、手首中心Ｐ１、中指の先端Ｐ２、中指の各関節中心Ｐ３〜Ｐ５、人差し指の先端Ｐ６、人差し指の各関節中心Ｐ７〜Ｐ９、薬指の先端Ｐ１０、薬指の各関節中心Ｐ１１〜Ｐ１３、小指の先端Ｐ１４、小指の各関節中心Ｐ１５〜Ｐ１７、親指の先端Ｐ１８、親指の各関節中心Ｐ１９〜Ｐ２０、の合計２０箇所を選定することが可能である。
【００４２】
また、上記各計測点を計測する際の基準線として、手首中心Ｐ１を通る線Ｌ１を選定することが可能である。従って、商品装着部の縦方向寸法について、基準線Ｌ１から各指の付け根部までの各長さ｛ａ１、ｂ１、ｃ１、ｄ１、ｅ１｝、各指の付け根から各先端部までの各長さ｛ａ２、ｂ２、ｃ２、ｄ２、ｅ２｝、各指の付け根から各第１関節部までの各長さ｛ａ３、ｂ３、ｃ３、ｄ３、ｅ３｝、各指の付け根から各第２関節部までの各長さ｛ａ４、ｂ４、ｃ４、ｄ４｝、を計測する。
【００４３】
図７（ｂ）に示されるように、商品装着部の横方向寸法について、各指の中心線Ｌ２、Ｌ３、Ｌ４、Ｌ５を基準線としたとき、各関節中心部において各中心線に直交する方向の各長さ｛ａ５、ａ６、ａ７、・・・、ｄ５、ｄ６、ｄ７、ｅ５、ｅ６、ｅ７、ｆ１｝を計測する。なお、"ｅ５"は中指の中心線Ｌ２から親指の付け根部までの長さに相当する。
【００４４】
図７（ｃ）に示されるように、商品装着部の厚さ方向寸法について、各指の各関節中心部の厚さ方向の各長さ｛・・・、ｂ８、ｂ９，ｂ１０、・・・、ｅ８、ｅ９、ｆ２｝を計測する。
【００４５】
次に、情報処理端末１０は、ＳＴ１−７で受信した基準寸法のデータを用いて、ＳＴ１−８で計測した画像上の手の各部の寸法からその実寸法を算出する（ＳＴ１−９）。すなわち、基準物体であるコイン８１又は定規の目盛８２の画面上の寸法と実寸法との比と手９０の各部の画像上の寸法とから、手９０の各部の実寸法を算出することができる。
【００４６】
次に、３Ｄモデル作成処理では、情報処理端末１０は、ＳＴ１−９で算出した実寸法のデータを情報データベース４０に送信する（ＳＴ１−１０）。情報データベース４０（又は情報処理端末１０）は、当該実寸法のデータに基づいて、３次元モデルデータベース４０ｂ（図１参照）を検索して、当該実寸法に近い寸法の３Ｄモデルデータを抽出する（ＳＴ１−１１）。
【００４７】
このモデルデータベース４０ｂの検索結果に基づいて、近い体型の３Ｄモデルデータが情報処理端末１０に送信される（ＳＴ１−１２）。情報処理端末１０は、実寸法のデータを用いて、この近い体型の３Ｄモデルデータを補正する（ＳＴ１−１３）ことで、実寸法の３Ｄモデルデータを作成する（ＳＴ１−１４）。そして、この作成した実寸法の３Ｄモデルデータを３Ｄモデルデータベース４０ｂに追加（格納）する(ＳＴ１−１５)。
【００４８】
図８（ａ）は、実寸法データベース４０ａのデータを示す図である。同図に示すように、先のＳＴ１−９で算出した手の各部の実寸法のデータは、ＳＴ１−２の閲覧者データと関連付けられて閲覧者ごとに保存される。この閲覧者ごとに保存された手の各部の寸法のデータを格納したものが実寸法データベース４０ａとなる。
【００４９】
図８（ｂ）は、手の３Ｄモデルの作成について説明するための図である。ここでは、図８（ａ）の実寸法データベース４０ａ、及び予め作成された複数の３Ｄモデルデータが格納された３Ｄモデルデータベース４０ｂに基づいて、手の３Ｄモデル３００を作成する。すなわちここでは、新たな対象者（閲覧者）の３Ｄモデルを作成する際に、これまでに蓄積した複数人（多数人）の３Ｄモデルから比較的近い形状のモデルを抽出し、この抽出した３Ｄモデルを補正することで新たな対象者３Ｄモデルを作成するようにしている。このような手法を採用したことで、全く新規に３Ｄモデルを作成する場合と比較して、新たな対象者の３Ｄモデルを作成するために要する時間を大幅に短縮することができる。なお、３Ｄモデル３００の作成自体は、既存の又は汎用の３Ｄモデル作成用のソフトウェアなどを用いて行うようにしてよい。
【００５０】
図９は、本実施形態の体型情報解析システム１が行う、閲覧者が選択した商品の装着状態の画像を作成する装着画像作成処理、及び商品を装着した際のフィット感（装着感）を判定するフィット感判定処理を説明するためのフロー図である。同図のフローに示す処理では、後述するステップＳＴ２−１〜ステップＳＴ２−８が装着画像作成処理であり、ステップＳＴ２−９〜ステップＳＴ２−１４がフィット感判定処理である。
【００５１】
装着画像作成処理では、まず、情報処理端末１０から閲覧者端末２０に商品選択画面のデータが送信され（ＳＴ２−１）、閲覧者端末２０では、閲覧者に当該商品選択画面で商品が選択される（ＳＴ２−２）。選択された商品の情報は、情報処理端末１０から閲覧者端末２０に送信される（ＳＴ２−３）。
【００５２】
図１０は、商品カテゴリーを選択するカテゴリー選択画面の表示を示す図である。また、図１１は、商品を選択する商品選択欄と、その選択した商品を実際に装着した場合の見え方を模擬した画像を表示する装着状態表示欄を示す図である。図１０のカテゴリー選択画面１５０では、選択する商品のカテゴリーとして、シャツ(SHIRT)、パンツ(TROUSER)、下着(UNDER-WEAR)、靴(SHOES)、アクセサリー(ACCESSORIES)のいずれかを選択することができる。そして、ここではアクセサリー(ACCESSORIES)を選択した場合について説明する。なお、この商品カテゴリー選択画面１５０は、先の図４に示す閲覧者データの入力画面２２の次に表示させてその段階で閲覧者に希望する商品のカテゴリーを選択させるようにしてもよい。
【００５３】
商品カテゴリーとしてアクセサリー(ACCESSORIES)が選択された場合、図１１の商品選択欄３０１に示すように、アクセサリー（ここでは指輪の場合を示す。）の一覧が表示される。閲覧者は、商品選択欄３０１に表示されたアクセサリーの一覧の中から自身が希望するアクセサリーを選択して当該アクセサリーの画像をタップする。この際、当該商品の画像データが商品画像データベース４０ｄ（図１参照）から呼び出される（ＳＴ２−４）と共に、閲覧者の手の３Ｄモデル２００のデータが３Ｄモデルデータベース４０ｂ（図１参照）から呼び出される（ＳＴ２−５）。これにより、閲覧者の手の３Ｄモデル２００に選択した指輪（商品）の画像２５０が重ね合わせられた画像（合成画像）が作成される（ＳＴ２−６）。この作成された合成画像が情報処理端末１０から閲覧者端末２０に送信される（ＳＴ２−７）。これにより、図１１の装着画像表示欄３０２に示すように、閲覧者端末２０の表示画面に閲覧者の手の３Ｄモデル２００に指輪の画像２５０が重ねて表示された合成画像が表示される（ＳＴ２−８）。ここで、指輪の画像２５０の表示寸法は、手の３Ｄモデル２００の表示寸法と同一縮尺の寸法に設定されている。したがって、この重ねて表示した合成画像により、閲覧者自身の手（指）に選択したアクセサリー（指輪）を装着した状態を忠実に模擬した画像が表示される。これにより、閲覧者が指輪を指に装着したときの手全体の見映えを確認（チェック）することができる。
【００５４】
次に、フィット感判定処理では、情報データベース４０から情報処理端末１０に閲覧者の手の寸法情報が呼び出される（ＳＴ２−９）。また、情報データベース４０から情報処理端末１０に指輪（商品）の寸法情報が呼び出される（ＳＴ２−１０）。そして、これら閲覧者の手の寸法情報と指輪の寸法情報とに基づいて、閲覧者の手の寸法と指輪の寸法との比較が行われる（ＳＴ２−１１）。また、実寸法データベース４０ａに蓄積されたこれまでに集められた複数人の手の寸法データに基づいて、閲覧者の手の寸法と指輪の寸法との関係の解析が行われる。図１２は、この解析に用いる実寸法データベース４０ａに指輪の寸法の情報を付加したデータベースを示す図である。これらに基づいて、閲覧者の手に対する指輪のフィット感のデータ分布が算出される（ＳＴ２−１２）。図１３は、算出したフィット感のデータ分布の例を示す図である。なお、ここでのフィット感の分布は、単純に手（指）の寸法と指輪の寸法とに基づいて単純に判断したものではなく、指の外周の形状（寸法の分布）なども考慮して指輪の装着感を総合的に判断したものである。
【００５５】
そして、この算出したフィット感のデータが閲覧者端末２０に送信され（ＳＴ２−１３）、閲覧者端末２０の表示画面にフィット感のグラフが表示される（ＳＴ２−１４）。図１４は、閲覧者端末２０の表示画面に表示されるフィット感のグラフの例を示す図である。同図に示すフィット感のグラフは、実際に閲覧者の指に指輪を装着した場合のフィット感（装着感）の程度を棒グラフ上に示したもので、閲覧者はこのグラフを見ることで、指輪を装着した場合のフィット感をより正確に判断することができる。
【００５６】
以上説明したように、本発明の体型情報解析システムの一実施形態である体型情報解析システム１は、閲覧者端末２０を閲覧している閲覧者（対象者）の手（身体の少なくとも一部である対象部分）の体型を撮影してなる体型画像の画像データを取得する体型画像データ取得部としての機能と、当該閲覧者の手（身体の対象部分）の実寸法を判断するために使用可能な基準寸法の情報が含まれた数値又は文字又は画像のデータを取得する基準寸法データ取得部としての機能と、体型画像データ取得部が取得した体型画像に表された対象部分の各部をパラメータとして設定し、当該設定したパラメータそれぞれの体型画像上の表示寸法を計測する表示寸法計測部としての機能と、基準寸法データ取得部で取得した基準寸法のデータを用いて、表示寸法計測部で計測した体型画像上の表示寸法から、体型画像に表された閲覧者（対象者）の手（身体の対象部分）の各部の実寸法を算出する実寸法算出部としての機能とを備えている。
【００５７】
この体型情報解析システム１によれば、閲覧者（対象者）の手（身体の対象部分）の体型を撮影してなる画像（体型画像）のデータに基づいて、当該画像（体型画像）に表された閲覧者（対象者）の手（身体の対象部分）の各部の実寸法を算出することが可能となる。したがって、閲覧者（対象者）の手（身体の対象部分）の実寸法に基づいて、適正な寸法（サイズ）の指輪（装着物）を提示することができるようになる。これにより、体型情報解析システム１をネットショッピング用のウェブサイトやアプリケーションソフトに適用することで、上記の算出した実寸法のデータに基づく解析内容を商品の購入希望者が商品を選択する際の判断に用いることができる。したがって、商品の販売者がインターネット等の通信ネットワークによる通信のみを介して、購入希望者の手（身体の対象部分）の寸法をより正確に把握することができるようになり、かつ、商品の購入希望者の手（身体の対象部分）に対する指輪（装着物）のフィット感の程度をより正確に算出することが可能となる。
【００５８】
また、この体型情報解析システム１では、体型画像データ取得部が取得する手などの画像（体型画像）のデータは、手など（対象部分）の外観を複数の方向から撮影した複数の画像のデータであってよく、実寸法算出手段が算出する手など（対象部分）の各部の実寸法は、当該対象部分の三次元形状の実寸法であってよい。
【００５９】
この構成によれば、閲覧者（対象者）の手など（身体の対象部分）の各部の三次元形状の実寸法を算出することが可能となる。したがって、より適正な寸法（サイズ）の指輪（装着物）を提示することができるようになる。これにより、上記のネットショッピング用のウェブサイトやアプリケーションソフトへの適用において、商品の購入希望者の身体の対象部分の三次元形状の体型寸法をより正確に把握することができ、かつ、商品の購入希望者の身体の対象部分に対する装着物のフィット感の程度を更に正確に算出することが可能となる。
【００６０】
また、この体型情報解析システム１では、基準寸法データ取得部が取得する基準寸法の情報が含まれたデータは、身体の対象部分の外観と共に体型画像内に含まれておりその実寸法が判明している物体（上記ではコイン８１又は定規の目盛８２）の画像のデータである。
【００６１】
この構成によれば、情報処理端末１０は、閲覧者端末２０から身体の対象部分の外観と共に実寸法が判明している物体を撮影した画像の提供を受けるだけで、当該画像を用いて身体の対象部分の実寸法を把握できるようになる。したがって、対象者の身体の対象部分の各部の実寸法の算出をより少ないデータに基づいて容易に行うことができるようになる。
【００６２】
また、この体型情報解析システム１では、閲覧者（対象者）の身体の対象部分に装着する装着物の実寸法のデータを取得する装着物寸法取得部としての機能と、装着物寸法取得部が取得した装着物の実寸法のデータと、実寸法算出部が算出した閲覧者（対象者）の身体の対象部分の実寸法のデータとを比較する寸法比較部としての機能と、寸法比較部で比較した結果に基づいて、装着物を閲覧者（対象者）の身体の対象部分に装着した際の装着感（フィット感）の程度を判定するフィット感判定部としての機能と、を備え、フィット感判定部は、予め集めた複数人の身体の対象部分の実寸法のデータが含まれた実寸法データベースに基づいて、対象者の身体の対象部分に対する装着物のフィット感の程度を算出するようにしてもよい。
【００６３】
この構成によれば、装着物を対象者の身体の対象部分に装着した際のフィット感の程度を判定できるので、上記のネットショッピング用のウェブサイトやアプリケーションソフトへの適用において、商品の購入希望者の身体の対象部分に対する装着物のフィット感の程度を更に正確に算出することが可能となる。したがって、商品の購入希望者に装着物のフィット感を判断するための有益な情報を与えることが可能となる。また、予め集めた複数人の身体の対象部分の実寸法のデータが含まれた実寸法データベースに基づいて、対象者の身体の対象部分に対する装着物のフィット感の程度を算出することで、当該フィット感の程度をより的確に（より実際のフィット感に即したデータとして）算出することができるようになる。
【００６４】
また、この体型情報解析システム１は、実寸法算出部が算出した閲覧者（対象者）の身体の対象部分の実寸法に基づいて、対象部分の３Ｄ（三次元）画像データを生成する３Ｄ（三次元）画像データ生成部としての機能を備えている。
【００６５】
この構成によれば、対象者の身体の対象部分の三次元画像データを生成することができるので、当該三次元画像データに基づいて、身体の対象部分の実寸法をより正確に把握できるようになる。
【００６６】
また、この体型情報解析システムでは、対象者の身体の対象部分に装着する装着物の三次元画像を取得する装着物画像データ取得部としての機能と、装着物画像データ取得部で取得した装着物の三次元画像と、三次元画像データ生成部で生成した対象者の身体の対象部分の三次元画像とをそれらの実寸法データに基づいて同一縮尺で合成することで、対象者が装着物を装着した状態の画像を作成する装着画像作成部としての機能と、合成画像部で作成した装着画像を表示する装着画像表示部としての機能も備えている。
【００６７】
この構成によれば、上記のネットショッピング用のウェブサイトやアプリケーションソフトへの適用において、商品の購入希望者に対して、当該購入希望者が装着物を装着した状態の装着画像を提示できるようになるので、商品の購入希望者に装着物のフィット感に関する情報だけでなく、商品を装着したときの見え方など、商品を実際に装着した状態を判断するための有益な情報をさらに与えることが可能となる。
【００６８】
また、この体型情報解析システム１では、身体画像データ取得部が取得する対象者の身体の少なくとも一部である対象部分の体型を撮影してなる体型画像のデータは、通信ネットネットワーク３０を介して閲覧者端末２０（他の端末装置）から送信されたデータである。
【００６９】
この構成によれば、体型画像のデータは、インターネットなどの通信ネットネットワーク３０を介して閲覧者端末２０から送信されたデータであることで、上記のネットショッピング用のウェブサイトやアプリケーションソフトへの適用において、閲覧者端末２０からアクセスした商品の閲覧者（購入希望者）に対して、離れた場所にいながら実際に対面することなく、商品（装着物）のフィット感を含む実際に装着した状態を判断するための有益な情報を与えることが可能となる。
【００７０】
このように、本実施形態の体型情報解析システム１によれば、上記の本発明にかかる各部の機能をネットショッピング等の商品販売アプリケーション上で実現することで、閲覧者（顧客）が商品を装着した際に得られる商品の装着感（フィット感）を判定し、その判定結果を顧客に提供することができるようになる。これにより、実際に商品を装着したときの装着感（フィット感）が想像していた装着感（フィット感）とは異なっていたというケース、あるいは商品の寸法（サイズ）が体型に合わないというケースは少なくなる。これにより、ネットショッピング等の通信ネットワーク商品販売において顧客が商品を安心して購入することができるようになる。
【００７１】
以上、本発明の一実施形態を説明してきたが、本発明の実施形態は上記だけに限定されない。すなわち、本発明における体型情報解析システムにおける対象者の身体の少なくとも一部である対象部分は、上記実施形態に示す手（指）以外にも、上半身、足、腕等の人体の各部位であってもよい。また、本発明の体型情報解析システムにおける対象者の身体の対象部分に装着する装着物は、上記実施形態に示す指輪等のアクセサリの他に、上着、ズボン、下着などの被服及び靴などの履物であってもよい。特に、被服（下着や上着やズボン）や履物（靴）は、規定の寸法だけではそのフィット感を判断することが困難な面があるところ、本発明にかかる体型情報解析システムを用いることで、そのフィット感を定量的に判断することができるようになる。
【００７２】
また、上記実施形態では、本発明における対象者の身体の対象部分の実寸法を判断するために使用可能な基準寸法の情報が含まれた数値又は文字又は画像のデータとして、手の画像に含まれる実寸法が判明している物体の画像を例に挙げたが、これ以外にも、当該基準寸法のデータとしては、例えば、画像に含まれる身体の一部の実寸法の情報（数値）などであってもよい。
【符号の説明】
【００７３】
１    体型情報解析システム
１０    情報処理端末
１１    制御部
１２    記憶部
１３    表示部
１４    入力装置
１５    データ送受信部
２０    閲覧者端末
２１    表示画面
２２    入力画面
３０    通信ネットワーク
４０    情報データベース
４０ａ    実寸法データベース
４０ｂ    ３Ｄ（三次元）モデルデータベース
４０ｃ    商品寸法データベース
４０ｄ    商品画像データベース
８１    コイン
８２    定規の目盛
９０    手
１１２    ウェブサイトのデータ
１１３    アプリケーションソフトウェアのデータ
１５０    カテゴリー選択画面
２００    手の三次元モデル
２５０    指輪（商品）の画像
３０１    商品選択欄
３０２    装着画像表示欄
【図１】
2018163031.tif 000003
【図２】
2018163031.tif 000004
【図３】
2018163031.tif 000005
【図４】
2018163031.tif 000006
【図５】
2018163031.tif 000007
【図６】
2018163031.tif 000008
【図７】
2018163031.tif 000009
【図８】
2018163031.tif 000010
【図９】
2018163031.tif 000011
【図１０】
2018163031.tif 000012
【図１１】
2018163031.tif 000013
【図１２】
2018163031.tif 000014
【図１３】
2018163031.tif 000015
【図１４】
2018163031.tif 000016